(57)【要約】【課題】コンリートブロックを使用せず、しかも、施工期間を短くし、運搬費用を比較的安価にすることのできる玄関の床構造を提供する。【解決手段】基礎スラブ５の上に床受けフレーム７を設置し、この床受けフレーム７の上に玄関床面材８を載置し固定した玄関床構造。【選択図】  図８
2005023585.tif 000002
【特許請求の範囲】
【請求項１】
基礎スラブの上に床受けフレームが設置され、この床受けフレームの上に玄関床面材が載置され固定されていることを特徴とする玄関床の構造。
【請求項２】
前記玄関床面材の上には、防水シートが敷かれ、この防水シートの上に床仕上げ材が設けられていることを特徴とする請求項１記載の玄関床の構造。
【請求項３】
前記床受けフレームが玄関の一方の側縁から相対する他方の側縁までの長さと略等しいか若干短い略水平な通し受け材と、この通し受け材に取り付けられた支柱とからなることを特徴とする請求項１記載の玄関床の構造。
【発明の詳細な説明】
【０００１】
【発明の属する技術分野】
本発明は、玄関床の構造に関する。
【０００２】
【従来の技術】
従来の玄関床の構造は、特許文献１の従来の技術の項に記載されているように施工した構造をしている。
即ち、建物本体の基礎を設ける予定場所に型枠を設け、この型枠の中にコンクリートを流し込み、コンクリートが固化した後に型枠を外してコンクリート基礎を設ける。
そして、玄関を設ける予定場所の周囲にコンクリートブロックを積み、このコンクリートブロックの側面にモルタル等を塗り付けて、コンクリートブロックを補強する。
【０００３】
尚、この玄関の周囲には、通常、建物本体のコンクリート基礎があるので、このコンクリート基礎がある場所にはコンクリートブロックを積まず、コンクリート基礎を利用する。
そして、このコンクリートブロックやコンクリート基礎で囲まれた空間に土を盛り込み、この盛り込んだ土の上にモルタルを打設し、この上に床仕上げ材、例えば、タイル等を設けていた。
【０００４】
しかし、この玄関の施工方法では、コンクリートブロックの不揃いを防ぐためにブロック積み用下地を作ったり、積んだコンクリートブロックが沈下したり、地震等で倒れる可能性があるので、このコンクリートブロックにモルタルで補強する必要があるし、コンクリートブロックを積む作業に特殊技能が必要である等のコンクリートブロック特有の問題がある。
【０００５】
また、コンクリートブロックやコンクリート基礎で囲まれた空間に土を盛り込んだ後に、モルタルに亀裂が入ったり陥没しないように、この盛り込んだ土を十分突き固める必要があるし、この土の上に打設したモルタルが固化するまで、次の工程を施工することができず、施工期間が極めて長くなるという問題がある。
【０００６】
特許文献１に記載されている玄関の施工方法は、この問題を解決するものであって、コンクリート基礎やコンクリートブロックをプレキャストコンクリート基礎束や土止め板に代替するものである。即ち、予め工場等で、基礎用のプレキャストコンクリート基礎束と土止め板を、また、玄関用のブレキャストコンクリート基礎束と土止め板を製造し、施工現場に運搬する。
【０００７】
施工現場では、先ず、柱の下方位置にプレキャスト鉄筋コンクリート基礎束を設置し、このプレキャスト鉄筋コンクリート基礎束を土止め板で連結して基礎を設ける。
そして、玄関を設ける位置の内部の角に玄関用のプレキャストコンクリート基礎束を設け、このプレキャストコンクリート基礎束と既に設けられている基礎用のプレキャストコンクリート基礎束とを土止め板で連結する。
その後、このプレキャストコンクリート基礎束と土止め板で囲まれた空間に土を盛り込み、この土の上にモルタルを打設し、必要があれば、この上に床仕上げ材を設けるものである。
【０００８】
この玄関の施工方法では、工場等で製造したプレキャストコンクリート基礎束や土止め板を使用するので、施工現場で基礎を設けたりコンクリートブロックを積むことがなく、施工期間が極めて短くなるし、コンクリートブロックを使用しないので、コンクリートブロック特有の問題、例えば、特殊技能を必要としたり、ブロックが沈下したり倒れたりする問題がなく、極めて好ましい玄関の施工方法である。
【０００９】
【特許文献１】
特開平６−１５１５３５号公報
【００１０】
【発明が解決しようとする課題】
しかし、特許文献１に記載されている玄関の施工方法では、工場等で製造したプレキャストコンクリート基礎束や土止め板を施工現場に運搬する必要があるが、このプレキャストコンクリート基礎や土止め板は重いし、プレキャストコンクリート基礎束が複雑な形状をしていて、トラックに積み難い形状をしているので、運搬費用が高価になるという問題がある。
【００１１】
また、この特許文献１では、コンクリートブロック特有の問題はなくなるが、プレキャストコンクリート基礎と土止め板で囲まれた空間に土を盛り込んで、この上にモルタルを打設するので、土を盛り込み、この土を突き固めたり、この土の上に設けるモルタルが固化するまで次の工程ができなくなり、その結果、施工期間が長くなるという問題が解決されてない。
【００１２】
そこで、本発明の目的は、コンクリートブロックを使用せず、しかも、施工期間を短くし、運搬費用を比較的安価にすることのできる玄関の床構造を提供するものである。
【００１３】
【課題を解決するための手段】
本発明は上記目的を達成するためになしたものであって、請求項１記載の発明は、基礎スラブの上に床受けフレームが設置され、この床受けフレームの上に玄関床面材が載置され固定されているものである。
【００１４】
請求項１記載の発明における床受けフレームとは、玄関床面材を支持することができる形状に成形したフレームのことであって、Ｈ形鋼を横にしたような板状のフレームでもよいが、請求項３記載のように、の玄関の一方の側縁から相対する他方の側縁までの長さと略等しいか若干短い略水平な通し受け材と、この通し受け材に取り付けられた支柱とにすると、この床受けフレームの複数個を略平行に設置し、この複数個の床受けフレームの通し受け材の上に玄関床面材を架け渡して載置するだけで玄関床の主要部分を設けることができるし、通し受け材と、この通し材に取り付けられた支柱だけであり、材料が少なく、材料費が安価になるので好ましい。
【００１５】
また、この床受け材の材料は、鋼材等の金属材であってもよいし、プレキャストコンクリートのような無機材であてもよいし、木材等であってもよいが、鋼材が機械的強度が大きく、しかも、塗装やメッキ等で耐久性をよくすることができるので好ましい。
【００１６】
請求項１記載の発明における玄関床面材とは、玄関の床となる床面材であって、種々な床面材が使用可能である。例えば、木製の板、ハードボード、パーチクルボード等の木質系の板材や、ＡＬＣ板、プレキャストコンクリート板、軽量コンクリート板等の無機質の板材や、鋼板等の金属板等があるが、この中でも、ＡＬＣ板が比較的軽く、耐水性や耐候性に優れているし、機械的強度も大きいので好ましい。
【００１７】
請求項２記載の発明は、請求項１記載の発明に係り、前記玄関床面材の上には、防水シートが敷かれ、この防水シートの上に床仕上げ材が設けられているものである。
【００１８】
請求項２記載の発明における防水シートとは、水を通さないシートであって、合成ゴムシート、天然ゴムシートのようなゴム製のシートや、ポリエチレン樹脂シート、ポリプロピレン樹脂シートのような合成樹脂シートが好ましい。
【００１９】
請求項２記載の発明における床仕上げ材とは玄関床に使用される仕上げ材であって、タイル等の陶磁器製品や、合成樹脂タイル、ゴムタイル、フローリングのような合成樹脂製品又はゴム製品や、テラスボード等の板状体等がある。
この床仕上げ材を設ける際に、床仕上げ材を防水シートの上に単に載置するだけでもよいが、この床仕上げ材の上を人が通るので、この床仕上げ材を防水シートに固定することが好ましい。
【００２０】
この固定する方法は、床仕上げ材の種類によって異なる。例えば、タイルであると、防水シートの上にセメントモルタル層を設け、このセメントモルタル層にセメントモルタルで接着すればよいし、合成樹脂タイル等では接着剤を使用して防水シートに接着すればよい。
【００２１】
請求項３記載の発明は、請求項１記載の発明に係り、前記床受けフレームが玄関の一方の側縁から相対する他方の側縁までの長さと略等しいか若干短い略水平な通し受け材と、この通し受け材に取り付けられた支柱とからなるものである。
【００２２】
（作用）
請求項１記載の発明では、基礎スラブの上に床受けフレームが設置され、この床受けフレームの上に玄関床面材が載置され固定されているので、工場等で床受けフレームや玄関床面材を製造し、施工現場で、基礎スラブの上にこの床受けフレームを設け、この床受けフレームの上に玄関床面材を設け、必要があれば、固定して、玄関床の主要部分とすることができる。
【００２３】
そして、この玄関床の主要部分だけで玄関床としてもよいが、通常、この主要部分の上に床仕上げ材を設ける等の仕上げを行って玄関床とする。
このように、玄関床を極めて短期間に施工できる。
しかも、この床受けフレームや玄関床面材は、特許文献１に記載されているプレキャストコンクリート基礎束よりトラックに積み易い形状にしたり、軽くすることができ、運搬費が安価になる。
【００２４】
請求項２記載の発明では、請求項１記載の発明に係り、前記玄関床面材の上には、防水シートが敷かれ、この防水シートの上に床仕上げ材が設けられているので、表面が床仕上げ材で覆われて美麗であるし、床仕上げ材が土等で汚れたときに、この土等の汚れを水で洗い流したり、床仕上げ材の上に傘を立て掛けたときに、傘等に付着した雨水が床仕上げ材の上に落下する等して、床仕上げ材の上に水が溜まっても、この水が防水シートから下方に浸入することがない。従って、安心して床仕上げ材の上の土等の汚れを水で洗い流したり、床仕上げ材の上に濡れた雨水を立て掛けることができる。
【００２５】
請求項３記載の発明では、請求項１記載の発明に係り、前記床受けフレームが玄関の一方の側縁から相対する他方の側縁までの長さと略等しいか若干短い略水平な通し受け材と、この通し受け材に取り付けられた支柱とからなるので、この床受けフレームの複数個を略平行に設置し、この複数個の床受けフレームに玄関床面材を架け渡し載置し、必要があれば、固定するだけで玄関床の主要部分を設けることができる。
また、この請求項３記載の発明では、床受けフレームは通し受け材と支柱だけであり、材料が少なくなると同時に軽量にすることができ、材料費や運搬費を安価にすることができる。
【００２６】
【発明の実施の形態】
次に、本発明の実施の形態を実施例で説明する。
図１〜図１０は本発明をユニット建物に適用した一実施例を示すもので、図１（イ）はユニット建物を示す斜視図、（ロ）はユニット建物の１階の建物ユニットの配置を示す平面図、図２は一般の建物ユニットを示す一部切欠斜視図、図３は玄関を備えた建物ユニットを示す一部切欠斜視図、図４は図１（ロ）のＡ−Ａ線における断面図、図５は図１（ロ）のＢ−Ｂ線における断面図、図６は図１（ロ）のＣ−Ｃ線における断面図、図７は玄関の床を示す斜視図、図８は床受けフレームに玄関床面材を取り付けている状態を示す斜視図、図９は床受けフレームを示す斜視図、図１０は玄関床面材を示す斜視図である。
【００２７】
図１〜図１０において、Ｈはユニット建物であり、このユニット建物Ｈは、図１に示すように、基礎５５の上に８個の一般の建物ユニット１と１個の玄関を備えた建物ユニット２が据え付けられて１階が形成され、この１階の一般の建物ユニット１と玄関を備えた建物ユニット２の上に９個の一般の建物ユニット１が据え付けられて２階が形成され、この２階の一般の建物ユニット１の上に屋根パネル３９が取り付けられて屋根が形成されたものである。
【００２８】
なお、玄関を備えた建物ユニット２の基礎５５の外側にはポーチ床３６が設けられ、このポーチ床３６に支柱３７が立設され、この支柱３７の上に庇３８が設けられて玄関ポーチ３５が形成されている。
このユニット建物Ｈに使用する一般の建物ユニット１は、図２に示すように、矩形状の四隅に立設された４本の鋼製の四角筒状の柱１１と、この４本の柱１１の下端部を矩形状の辺に沿って連結した鋼製の断面コ字形長尺体の４本の床梁１２と、この４本の柱１１の上端部を矩形状の辺に沿って連結した鋼製の断面コ字形長尺体の４本の天井梁１３とからなる骨格を有する。
【００２９】
そして、一般の建物ユニット１は、長辺の位置に設けられている相対する床梁１２に鋼製の４角筒体の床小梁１４が差し渡され、この床小梁１４の上に木製の床根太１５が取り付けられ、この床根太１５の上面にパーチクルボードの床面材１６が取り付けられて床が形成され、長辺の位置に設けられている相対する天井梁１３に木製の天井野縁１７が差し渡され、この天井野縁１７の下面に石膏ボードの天井面材１８が取り付けられて、天井が形成されたものである。
【００３０】
そして、外壁を設ける場所には、天井梁１３と床梁１２とに間柱１９が差し渡され、この間柱１９の外側には、図示しない外壁パネルが取り付けられ、内側には、内壁パネルが取り付けられ、この外壁パネルと内壁パネルの間にガラスウールの断熱材が設けられている。
また、床面材１６の上には、図示しないが、畳やフローリングや化粧合板等の床仕上げ材が設けられている。
【００３１】
玄関を備えた建物ユニット２は、図３に示すように、玄関６を設ける位置の床梁や床小梁や床根太や床面材がなく、玄関と床との間に補助梁３が設けられていることが異なり、その他は一般の建物ユニット１と略同じである。
【００３２】
即ち、玄関を備えた建物ユニット２は、矩形状の四隅に立設された４本の鋼製の四角筒状の柱２１と、この４本の柱２１の下端部を矩形状の短辺に沿って連結した鋼製の断面コ字形長尺体の２本の床梁２２と、長辺に沿って連結した鋼製の断面コ字形長尺体の１本の床梁２２と、長辺に沿った玄関６までの長さの１本の床梁２２−１と、この床梁２２−１の先端と長辺の床梁２２とに差し渡された鋼製四角筒状の補助梁３と、４本の柱１１の上端部を矩形状の辺に沿って連結した鋼製の断面コ字形長尺体の４本の天井梁２３とからなる骨格を有する。
【００３３】
そして、玄関を備えた建物ユニット２は、長辺の位置に設けられている相対する床梁２２に鋼製の４角筒体の床小梁２４が差し渡され、この床小梁２４と補助梁３の上に木製の床根太２５が取り付けられ、この床根太２５の上面にパーチクルボードの床面材２６が取り付けられて床が形成され、長辺の位置に設けられている相対する天井梁２３に木製の天井野縁２７が差し渡され、この天井野縁２７の下面に石膏ボードの天井面材２８が取り付けられて、天井が形成されたものである。
【００３４】
なお、床面材２６の上には、図４〜図６に一部示されているように、フローリングの床仕上げ材３３が設けられている。
そして、玄関との境界にある床小梁２４の上にスペーサー３４が取り付けられ、このスペーサー３４の上に玄関框６５が取り付けられていて、床面材２６と床仕上げ材３３の端面が見えないようになっている。
【００３５】
そして、外壁を設ける場所には、天井梁２３と床梁２２とに間柱２９が差し渡され、この間柱２９の外側には、図４に一部が示されているように、外壁パネル４が取り付けられ、内側には、内壁パネル４５が取り付けられ、この外壁パネル４と内壁パネル４５の間に図示しないガラスウールの断熱材が設けられている。
【００３６】
この際の外壁パネル４は、図４に一部示されているように、矩形状の硬質木片セメント板の外壁面材４１と、この外壁面材４１の周囲及び内部に設けられた鋼製の四角筒状のフレーム４２からなる。また、内壁パネル４５は、矩形状の石膏ボードの内壁面材と、この内壁面材の周囲及び内部に設けられた木製のフレームからなる。
また、一般の建物ユニト１や玄関を備えた建物ユニット２が据え付けられた床面材１６、２６と天井面材１８、２８には、必要な場所、例えば、玄関と隣の部屋との間には、図６に一部示されているように、間仕切り壁パネル４６が取り付けられて、部屋が区画されている。この間仕切り壁パネル４６は内壁パネルと略同じ構造をしている。
【００３７】
屋根パネル３９は従来と略同じであるので、説明を省略する。
５は基礎スラブであり、この基礎スラブ５はユニット建物Ｈが据え付けられる予定の地面が掘られ、この掘られた地面に鉄筋が組み立てられ、この上にコンクリートが打設された略水平な表面を有する鉄筋コンクリート製のスラブである。
この基礎スラブ５には、後述の玄関床７を取り付けるためのアンカーボルト５１等が埋設されている。
【００３８】
この基礎スラブ５の周囲には、基礎５５が設けられている。
この基礎５５は、基礎スラブ５の所々に立設された鋼製の四角筒状の柱材５６と、この柱材５６の上端部を連結する鋼製の断面コ字形長尺体の梁材５７とからなる骨格と、この骨格の外側に取り付けられたポリスチレン樹脂発泡体の断熱材５８と、この断熱材５８にフェノール樹脂系接着剤で接着された基礎化粧板５９とからなる。
【００３９】
また、基礎スラブ５の建物ユニット１、２の短辺に相当する位置には、布基礎５４が設けられている。
この布基礎５４は基礎５５の骨格と略同じ構造をしている。
そして、基礎５５や布基礎５４に一般の建物ユニット１や玄関を備えた建物ユニット２が架け渡されて据え付けられている。
玄関床６は、床受けフレーム７と、玄関床面材８と、防水シート９と、モルタル層９４と、床仕上げ材９５とからなる。
【００４０】
床受けフレーム７は、図９に示すように、通し受け材７２と、この通し受け材７２に取り付けられた２本の支柱７５とからなる。
通し受け材７２は、矩形状の玄関の入口側縁から部屋側縁（入口側縁に相対する側縁）までの長さに略等しい長さの略水平な鋼製四角筒状の受け材本体７３と、この受け材本体７３の３箇所に取り付けられた鋼製のＬ字形小片の取付金具７４とからなる。この取付金具７４には通孔７４１が設けられている。
【００４１】
また、支柱７５は、鋼製の四角筒状の支柱本体７６と、この支柱本体７６の下端面に取り付けられた板状の取付金具７７とからなり、この取付金具７７には左右に１個ずつ、合計２個の通孔７７１が設けられている。
そして、図４〜図６に示すように、基礎スラブ５に設けられているアンカーボルト５１を支柱７５の取付金具７７の通孔７７１を通しながら、支柱７５がスラブ基礎スラブ５の上に据え付けられ、このアンカーボルト５１にナットが螺入されて、床受けフレーム７が基礎スラブ５に固定されている。
【００４２】
玄関床面材８は鉄筋が埋設されたＡＬＣ板であり、図１０に示すように、この玄関床面材８には、２箇所に通孔８１が設けられている。
そして、この床面材８は、図７及び図８に示すように、玄関に取り付けられた略平行な２個の床受けフレーム７の通し受け材７２の上に載置され、玄関床面材８の通孔８１と取付金具７４の通孔７４１に通されたボルト７８とナット７９で固定されている。
【００４３】
９は、厚み４ｍｍの軟質塩化ビニル樹脂シートの防水シートである。
９５は、陶磁器製のタイルの床仕上げ材である。
そして、玄関床面材８の上に防水シート９が敷かれ、この上にモルタル層９４が設けられ、このモルタル層９４の上に床仕上げ材９５がモルタルで接着されている。
９９は玄関扉であり、この玄関扉９９は、図５に一部示されているように、玄関と玄関ポーチとの間の壁に開口部が設けられ、この開口部に取り付けられた沓ずり９７や窓枠９８からなる枠に回転可能に取り付けられている。
【００４４】
次に、このユニット建物Ｈの施工方法及び玄関床の作用について説明する。
工場で一般の建物ユニット１、玄関を備えた建物ユニット２、屋根パネル３９、床受けフレーム７、玄関床面材８等を製造する。
そして、これ等の一般の建物ユニット１、玄関を備えた建物ユニット２、屋根パネル３９、床受けフレーム７、玄関床面材８等を施工現場に運搬する。
【００４５】
施工現場では、予め、ユニット建物Ｈが据え付けられる予定場所の地面を掘り、この上に鉄筋コンクリートを設けて基礎スラブ５を設け、この基礎スラブ５の周囲に基礎５５やポーチ床３６を設け、基礎スラブ５の建物ユニット１、２の短辺に相当する位置には、布基礎５４を設けておく。
そして、工場で製造し、運搬した８個の一般の建物ユニット１と１個の玄関を備えた建物ユニット２を基礎５５と布基礎５４とに架け渡して据え付けて、１階を形成し、この１階の一般の建物ユニット１と玄関を備えた建物ユニット２の上に９個の一般の建物ユニット１を据え付けて２階を形成し、この２階の一般の建物ユニット１の上に屋根パネル３９を取り付けて屋根を形成する。また、ポーチ床３６に支柱３７を設け、この支柱３７の上に庇３８を設けて玄関ポーチ３５を形成する。
【００４６】
そして、玄関を備えた建物ユニット２に玄関床６を設けたり、その他種々な仕上げを行うと、ユニット建物Ｈが完成する。
このときの玄関床６の施工方法について説明する。
先ず、図８に示すように、基礎スラブ５に設けられているアンカーボルト５１を支柱７５の取付金具７７の通孔７８を通しながら、床受けフレーム７をスラブ基礎５の上に据え付け、このアンカーボルト５１にナットを螺入して、床受けフレーム７を基礎スラブ５に固定する。
このようにして、２個の床受けフレーム７を基礎スラブ５に略平行に取り付ける。
【００４７】
次に、基礎スラブ５に取り付けられた２個の床受けフレーム７の通し受け材７２の上に３個の玄関床面材８を載置し、玄関床面材８の通孔８１と取付金具７４の通孔７４１に通されたボルト７９とナット７９で、玄関床面材８を床受けフレーム７に固定すると、図７に示す玄関床６の主要部分が完成する。
次に、玄関床面材８の上に防水シート９を敷き、この上にモルタル層９４を設け、この上に床仕上げ材９５をモルタルで接着すると、玄関床６が完成する。
【００４８】
このように、工場等で床受けフレーム７や玄関床面材８を製造し、施工現場でこの床受けフレーム７を設置し、この床受けフレーム７の上に玄関床面材８を載置して固定すると玄関床６の主要部分が完成し、この玄関床６の骨格の上に防水シート９を敷き、床仕上げ材９５を取り付ける等のその他の仕上げを行うだけで玄関床６とすることができるので、極めて短期間に玄関床６を設けることができる。
【００４９】
しかも、この床受けフレーム７は通し受け材７２と支柱７５だけであるので、材料が少なくると同時に軽量するすることができるし、特許文献１に記載されているプレキャストコンクリート基礎束より積み易い形状にすることができ、材料費や運搬費が安価になる。
また、玄関床面材８の上には、防水シート９が敷かれ、この防水シート９の上に床仕上げ材９５が設けられているので、表面が床仕上げ材９５が覆われて美麗であるし、床仕上げ材９５が土等で汚れたときに、この土等の汚れを水で洗い流したり、傘等に付着した雨水が床仕上げ材９５の上に落下する等して、床仕上げ材９５の上に水が溜まっても、この水が防水シート９から下方に浸入することがない。従って、安心して土等の汚れを水で洗い流したり、濡れた雨水を立て掛けることができる。
【００５０】
以上、この発明の実施の形態を実施例で詳細に説明したが、具体的な構成は、この実施例に限られるものではなく、この発明の要旨を逸脱しない範囲の設計の変更等があっても、この発明に含まれる。
例えば、この実施例ではユニット建物に設けられた玄関床の構造について説明したが、その他の建物でもよい。
また、この実施例では、１階に玄関を設けた建物について説明したが、共同住宅のように、２階以上に玄関を設ける場合でも適用できる。
【００５１】
【発明の効果】
請求項１記載の発明は、基礎スラブの上に床受けフレームが設置され、この床受けフレームの上に玄関床面材が載置され固定されているから、工場等で床受けフレームや玄関床面材を製造し、施工現場でこの床受けフレームを設け、この床受けフレームの上に玄関床面材を載置して固定した後に、仕上げを行うだけでよく、極めて短期間に玄関床の主要部分を設けることができ、必要があれば、この主要部分の上に床仕上げ材等を設ければよく、施工し易い。
しかも、この床受けフレームや玄関床面材は、特許文献１に記載されているプレキャストコンクリート基礎束より積み易い形状にしたり、軽くすることができ、運搬費も安価にすることができる。
【００５２】
請求項２記載の発明は、請求項１記載の発明に係り、前記玄関床面材の上には、防水シートが敷かれ、この防水シートの上に床仕上げ材が設けられているから、表面が床仕上げ材で覆われて美麗であるし、安心して土等の汚れを洗い流したり、濡れた傘を立て掛けることができる。
【００５３】
請求項３記載の発明は、請求項１記載の発明に係り、前記床受けフレームが玄関の一方の側縁から相対する他方の側縁までの長さと略等しいか若干短い略水平な通し受け材と、この通し受け材に取り付けられた支柱とからなるから、複数個の床受けフレームを略平行に設け、この複数個の床受けフレームに玄関床面材を架け渡して載置し固定するだけで玄関床の主要部分を設けることができるし、この床受けフレームは通し受け材と支柱だけであり、材料が少なくなると同時に軽量にすることができ、材料費や運搬費を安価にすることができる。
【図面の簡単な説明】
【図１】本発明をユニット建物に適用した一実施例を示すもので、（イ）はユニット建物を示す斜視図、（ロ）はユニット建物の１階の建物ユニットの配置を示す平面図である。
【図２】一般のの建物ユニットを示す一部切欠斜視図である。
【図３】玄関を備えた建物ユニットを示す一部切欠斜視図である。
【図４】図１（ロ）のＡ−Ａ線における断面図である。
【図５】図１（ロ）のＢ−Ｂ線における断面図である。
【図６】図１（ロ）のＣ−Ｃ線における断面図である。
【図７】玄関床を示す斜視図である。
【図８】床受けフレームに玄関床面材を取り付けている状態を示す斜視図である。
【図９】床受けフレームを示す斜視図である。
【図１０】玄関床面材を示す斜視図である。
【符号の説明】
Ｈ              ユニット建物
１              一般の建物ユニット
２              玄関を備えた建物ユニット
３９            屋根パネル
５              基礎スラブ
５５            基礎
６              玄関床
７              床受けフレーム
７２            通し受け材
７５            支柱
８              玄関床面材
９              防水シート
９４            モルタル層
９５            床仕上げ材（タイル）
【図１】
2005023585.tif 000003
【図２】
2005023585.tif 000004
【図３】
2005023585.tif 000005
【図４】
2005023585.tif 000006
【図５】
2005023585.tif 000007
【図６】
2005023585.tif 000008
【図７】
2005023585.tif 000009
【図８】
2005023585.tif 000010
【図９】
2005023585.tif 000011
【図１０】
2005023585.tif 000012